(57)【要約】【課題】高速旋回時に発生する駆動装置の急激な負荷低下に伴う過回転を防止し得、信頼性向上を図り得るウォータージェット推進船を提供する。【解決手段】ジェット推進器４への水の供給が行われなくなった際に駆動装置２が無負荷状態になることを防止するよう、各ジェット推進器４の駆動軸３を動力伝達手段５を介して連結する。【選択図】図２
2005125991.tif 000002
【特許請求の範囲】
【請求項１】
駆動装置により駆動軸を介して回転駆動され且つ水を吸引・噴射させる複数のジェット推進器を備えたウォータージェット推進船において、
ジェット推進器への水の供給が行われなくなった際に駆動装置が無負荷状態になることを防止するよう、各ジェット推進器の駆動軸を動力伝達手段を介して連結したことを特徴とするウォータージェット推進船。
【請求項２】
駆動装置がガスタービンエンジンである請求項１記載のウォータージェット推進船。
【請求項３】
動力伝達手段をギアボックスと連結軸とから構成した請求項１又は２記載のウォータージェット推進船。
【発明の詳細な説明】
【技術分野】
【０００１】
本発明は、ウォータージェット推進船に関するものである。
【背景技術】
【０００２】
一般に、ウォータージェット推進船は、図９〜図１１に示される如く、船体１の内部に、駆動装置２と、該駆動装置２により駆動軸３を介して回転駆動されるジェット推進器４とを配設し、航行時には、前記駆動装置２により駆動軸３を介してジェット推進器４を回転駆動し、水を船底部あるいは船首部から吸引して船尾部へ噴射させ、推進力を得るようになっている。
【０００３】
前記駆動装置２としては、ディーゼルエンジン等と比べ重量・容積に対して発生馬力の大きいガスタービンエンジンが主に用いられており、従来においては、図１０及び図１１に示される如く、船体１の幅方向に複数基（図１０及び図１１の例では二基）の駆動装置２が配置され、該各駆動装置２に直結する形でジェット推進器４を設けるようになっている。
【０００４】
尚、前述したような構造のウォータージェット推進船を示すものとしては、例えば、特許文献１がある。
【特許文献１】特開平１０−２５０６８７号公報
【発明の開示】
【発明が解決しようとする課題】
【０００５】
しかしながら、前述の如きウォータージェット推進船の場合、図１２に示される如く、高速旋回時に船体１がその幅方向へ傾いた状態となると、幅方向一端側における船底部が水面から浮き上がってジェット推進器４への水の供給が行われなくなり、駆動装置２としてのガスタービンエンジンが急激に無負荷状態となって過回転を起こし、ガスタービンエンジンに損傷が生じる虞があった。
【０００６】
本発明は、斯かる実情に鑑み、高速旋回時に発生する駆動装置の急激な負荷低下に伴う過回転を防止し得、信頼性向上を図り得るウォータージェット推進船を提供しようとするものである。
【課題を解決するための手段】
【０００７】
本発明は、駆動装置により駆動軸を介して回転駆動され且つ水を吸引・噴射させる複数のジェット推進器を備えたウォータージェット推進船において、
ジェット推進器への水の供給が行われなくなった際に駆動装置が無負荷状態になることを防止するよう、各ジェット推進器の駆動軸を動力伝達手段を介して連結したことを特徴とするウォータージェット推進船にかかるものである。
【０００８】
上記手段によれば、以下のような作用が得られる。
【０００９】
高速旋回時に船体がその幅方向へ傾いた状態となり、幅方向一端側における船底部が水面から浮き上がって、ある特定のジェット推進器への水の供給が行われなくなったとしても、他のジェット推進器は負荷状態にあり、該負荷状態にあるジェット推進器に対し駆動装置が動力伝達手段を介して連結される形となっており、その出力が負荷状態にあるジェット推進器に使用されるため、該駆動装置が急激に無負荷状態となって過回転を起こしてしまうことが避けられ、損傷が生じる心配もなくなる。
【００１０】
前記ウォータージェット推進船においては、駆動装置がガスタービンエンジンである場合に特に有効となる。
【００１１】
又、前記ウォータージェット推進船においては、動力伝達手段をギアボックスと連結軸とから構成することができる。
【発明の効果】
【００１２】
本発明のウォータージェット推進船によれば、高速旋回時に発生する駆動装置の急激な負荷低下に伴う過回転を防止し得、信頼性向上を図り得るという優れた効果を奏し得る。
【発明を実施するための最良の形態】
【００１３】
以下、本発明の実施の形態を添付図面を参照して説明する。
【００１４】
図１〜図４は本発明を実施する形態の第一例であって、図中、図９〜図１２と同一の符号を付した部分は同一物を表わしており、基本的な構成は図９〜図１２に示す従来のものと同様であるが、本図示例の特徴とするところは、図１〜図４に示す如く、ジェット推進器４への水の供給が行われなくなった際に駆動装置２が無負荷状態になることを防止するよう、各ジェット推進器４の駆動軸３を動力伝達手段５を介して連結した点にある。
【００１５】
本図示例の場合、二基の駆動装置２と二基のジェット推進器４とを有しており、前記動力伝達手段５は、各駆動軸３途中に設けられる二個のギアボックス５ａと一本の連結軸５ｂとから構成してある。
【００１６】
次に、上記図示例の作用を説明する。
【００１７】
図４に示す如く、高速旋回時に船体１がその幅方向へ傾いた状態となり、幅方向一端側における船底部が水面から浮き上がって、ある特定のジェット推進器４（図４の例では右側のジェット推進器４）への水の供給が行われなくなったとしても、他のジェット推進器４（図４の例では左側のジェット推進器４）は負荷状態にあり、該負荷状態にあるジェット推進器４に対し駆動装置２としてのガスタービンエンジンが動力伝達手段５を介して連結される形となっており、その出力が負荷状態にあるジェット推進器４に使用されるため、該駆動装置２としてのガスタービンエンジンが急激に無負荷状態となって過回転を起こしてしまうことが避けられ、損傷が生じる心配もなくなる。
【００１８】
こうして、高速旋回時に発生する駆動装置２の急激な負荷低下に伴う過回転を防止し得、信頼性向上を図り得る。
【００１９】
図５は本発明を実施する形態の第二例であって、図中、図１〜図４と同一の符号を付した部分は同一物を表わしており、一基の駆動装置２と二基のジェット推進器４とを備えたウォータージェット推進船において、三個のギアボックス５ａと二本の連結軸５ｂとから動力伝達手段５を構成したものであり、この例の場合も、高速旋回時に発生する駆動装置２の急激な負荷低下に伴う過回転を防止し得、信頼性向上を図り得る。
【００２０】
図６は本発明を実施する形態の第三例であって、図中、図１〜図４と同一の符号を付した部分は同一物を表わしており、一基の駆動装置２と三基のジェット推進器４とを備えたウォータージェット推進船において、三個のギアボックス５ａと二本の連結軸５ｂとから動力伝達手段５を構成したものであり、この例の場合も、高速旋回時に発生する駆動装置２の急激な負荷低下に伴う過回転を防止し得、信頼性向上を図り得る。
【００２１】
図７は本発明を実施する形態の第四例であって、図中、図１〜図４と同一の符号を付した部分は同一物を表わしており、三基の駆動装置２と三基のジェット推進器４とを備えたウォータージェット推進船において、三個のギアボックス５ａと二本の連結軸５ｂとから動力伝達手段５を構成したものであり、この例の場合も、高速旋回時に発生する駆動装置２の急激な負荷低下に伴う過回転を防止し得、信頼性向上を図り得る。
【００２２】
図８は本発明を実施する形態の第五例であって、図中、図１〜図４と同一の符号を付した部分は同一物を表わしており、二基の駆動装置２と三基のジェット推進器４とを備えたウォータージェット推進船において、三個のギアボックス５ａと二本の連結軸５ｂとから動力伝達手段５を構成したものであり、この例の場合も、高速旋回時に発生する駆動装置２の急激な負荷低下に伴う過回転を防止し得、信頼性向上を図り得る。
【００２３】
尚、本発明のウォータージェット推進船は、上述の図示例にのみ限定されるものではなく、本発明の要旨を逸脱しない範囲内において種々変更を加え得ることは勿論である。
【図面の簡単な説明】
【００２４】
【図１】本発明を実施する形態の第一例の概略側面図である。
【図２】本発明を実施する形態の第一例の概略平面図である。
【図３】本発明を実施する形態の第一例の概略後面図である。
【図４】本発明を実施する形態の第一例において高速旋回時に船体が傾いた状態を示す概略後面図である。
【図５】本発明を実施する形態の第二例の概略平面図である。
【図６】本発明を実施する形態の第三例の概略平面図である。
【図７】本発明を実施する形態の第四例の概略平面図である。
【図８】本発明を実施する形態の第五例の概略平面図である。
【図９】従来例の概略側面図である。
【図１０】従来例の概略平面図である。
【図１１】従来例の概略後面図である。
【図１２】従来例において高速旋回時に船体が傾いた状態を示す概略後面図である。
【符号の説明】
【００２５】
２    駆動装置
３    駆動軸
４    ジェット推進器
５    動力伝達手段
５ａ  ギアボックス
５ｂ  連結軸
【図１】
2005125991.tif 000003
【図２】
2005125991.tif 000004
【図３】
2005125991.tif 000005
【図４】
2005125991.tif 000006
【図５】
2005125991.tif 000007
【図６】
2005125991.tif 000008
【図７】
2005125991.tif 000009
【図８】
2005125991.tif 000010
【図９】
2005125991.tif 000011
【図１０】
2005125991.tif 000012
【図１１】
2005125991.tif 000013
【図１２】
2005125991.tif 000014